(57)【要約】【課題】本発明は、使用者の体型に合わせて該アームレストの高さを調節することが出来、使用者が楽な姿勢でシャワーを浴びることが出来るシャワーユニット付き椅子を提供することを課題とする。【解決手段】椅子２の背面にシャワーユニット３を取付け、椅子２の両側にはアームレスト４を高さ調節可能に取付けたことを特徴とするシャワーユニット付き椅子１を提供する。この場合、該アームレスト４の前脚部１６は該椅子２の座部９両側から立上がるアームレスト支持杆１２に上下摺動可能に嵌着され、アームレスト支持杆１２の係止ピンが前脚部１６の支持杆嵌着部１８の係止孔のいずれかに嵌合することによってアームレスト４の高さが調節され、一方、アームレスト４の背当て部が背当板背面の凹部のいずれかに嵌入しビス固定されることによってアームレスト４の高さが調節される。【選択図】    図１
2005110804.tif 000002
【特許請求の範囲】
【請求項１】
椅子の背面にシャワーユニットを取付け、椅子の両側にはアームレストを高さ調節可能に取付けたことを特徴とするシャワーユニット付き椅子。
【請求項２】
該アームレストは、略水平な肘掛け部と、該肘掛け部前端から下方へ屈曲する前脚部と、該肘掛け部後端から内側に屈曲する背当て部とからなり、該前脚部は該椅子の座部両側から立上がるアームレスト支持杆に上下摺動可能に嵌着され、該前脚部下部の支持杆嵌着部には複数個の係止孔が縦列され、該アームレスト支持杆には係止ピンがアームレスト支持杆周面から出没可能に取付けられ、該係止ピンが該前脚部の支持杆嵌着部の係止孔のいずれかに嵌合することによってアームレストの高さが調節され、一方、椅子の背面には背当板が取付けられ、該背当板背面両端部には該アームレストの背当て部が嵌入する凹部の複数個が縦列され、該アームレストの背当て部が該背当板背面の凹部のいずれかに嵌入しビス固定されることによってアームレストの高さが調節される請求項１に記載のシャワーユニット付き椅子。
【請求項３】
該シャワーユニットは椅子の背面に上下位置調節可能に取付けられている請求項１または請求項２に記載のシャワーユニット付き椅子。
【発明の詳細な説明】
【技術分野】
【０００１】
本発明は例えば浴室等で使用されるシャワーユニット付きの椅子に関する。
【背景技術】
【０００２】
従来、例えばシャワー装置として、シャワー装置本体と、入浴者が着座する着座手段と、着座した入浴者に温水を噴霧する複数の噴霧ノズルと、ハンドシャワーと、該噴霧ノズルと該ハンドシャワーとを切り替える切替弁とを設けた構成であって、該切替弁で切り替えることによってハンドシャワーを使用することが出来るものが提供されている（特許文献１参照）。
また、例えばシャワー浴装置として、多数の小孔郡を備えたバックフレームと手摺りをシャワーキャリーまたはシャワーチェアの本体フレーム等にマニホールドを介して装着するとともに、該手摺りを回転可能に支承するように形成したものが提供されている（特許文献２参照）。
【０００３】
【特許文献１】特開平１０−２８６５６号公報（第２−６頁、第１１図）
【特許文献２】実開平６−６６６７２号公報（第５−８頁、第２図）
【発明の開示】
【発明が解決しようとする課題】
【０００４】
しかしながら上記従来のシャワー装置では、シャワー装置本体にアームレストが設けられていないため、該シャワー装置を使用する際に使用者が肘を置くところがなく、使用者は楽な姿勢でシャワーを浴びることが出来ないという問題があった。
また、上記従来のシャワー浴装置では、手摺りが設けられているものの、手摺りの高さ位置を調節することが出来ないため、該手摺りの高さ位置が使用者の体型に合わず、使用者が楽な姿勢でシャワーを浴びることが出来ないという問題があった。
【課題を解決するための手段】
【０００５】
本発明は上記従来の課題を解決するための手段として、椅子(2) の背面にシャワーユニット(3) を取付け、椅子(2) の両側にはアームレスト(4) を高さ調節可能に取付けたことを特徴とするシャワーユニット付き椅子(1) を提供するものである。
該アームレスト(4) は、略水平な肘掛け部(15)と、該肘掛け部(15)前端から下方へ屈曲する前脚部(16)と、該肘掛け部(15)後端から内側に屈曲する背当て部(17)とからなり、該前脚部(16)は該椅子(2) の座部(9) 両側から立上がるアームレスト支持杆(12)に上下摺動可能に嵌着され、該前脚部(16)下部の支持杆嵌着部(18)には複数個の係止孔(19)が縦列され、該アームレスト支持杆(12)には係止ピン(20)がアームレスト支持杆(12)周面から出没可能に取付けられ、該係止ピン(20)が該前脚部(16)の支持杆嵌着部(18)の係止孔(19)のいずれかに嵌合することによってアームレスト(4) の高さが調節され、一方、椅子(2) の背面には背当板(14)が取付けられ、該背当板(14)背面両端部には該アームレスト(4) の背当て部(17)が嵌入する凹部(21)の複数個が縦列され、該アームレスト(4) の背当て部(17)が該背当板(14)背面の凹部(21)のいずれかに嵌入しビス固定されることによってアームレスト(4) の高さが調節されることが望ましい。
また、該シャワーユニット(3) は椅子(2) の背面に上下位置調節可能に取付けられていることが望ましい。
【発明の効果】
【０００６】
本発明のシャワーユニット付き椅子(1) では、アームレスト(4) が高さ調節可能とされているので、使用者の体型に合わせて該アームレスト(4) の高さを調節することが出来、そのため、使用者は楽な姿勢でシャワーを浴びることが出来る。
【発明を実施するための最良の形態】
【０００７】
本発明を図１〜図６に示す一実施例によって説明する。
図１および図２に示すように、シャワーユニット付き椅子(1) は、椅子(2) と、該椅子(2) の背面に取付けられるシャワーユニット(3) とからなる。
【０００８】
図３〜図５に示すように、椅子(2) は、該椅子(2) の左右両側に取付けられているアームレスト(4) と、両端部を下方に屈曲して前脚(5) と後脚(6) を形成した一対のコの字枠(7) と、該コの字枠(7) 上に支持され上面の所定の個所に複数個の水抜孔(8) が設けられている座部(9) と、該コの字枠(7) の下側に差渡され後端部を上方に屈曲して背当板支持杆(10)を形成した左右一対のＬ字形側枠(11)と、該Ｌ字形側枠(11)の前部下側に差渡され左右両側を上方に屈曲してアームレスト支持杆(12)を形成した前枠(13)と、該Ｌ字形側枠(11)の背当板支持杆(10)に取付けられている背当板(14)とからなる。
【０００９】
該アームレスト(4) は、略水平な肘掛け部(15)と、該肘掛け部(15)の前端から下方へ屈曲する前脚部(16)と、該肘掛け部(15)の後端から内側に屈曲する背当て部(17)とからなる。
該アームレスト(4) の前脚部(16)は、該前枠(13)のアームレスト支持杆(12)に上下摺動可能に嵌着されている。該アームレスト(4) の前脚部(16)の下部の支持杆嵌着部(18)には、複数個の係止孔(19)が縦列されており、一方、該前枠(13)のアームレスト支持杆(12)には、該アームレスト支持杆(12)の周面から係止ピン(20)が出没可能に取付けられており、該係止ピン(20)は突出方向に弾性的に付勢されている。
【００１０】
該背当板(14)の背面には、両端部に該アームレスト(4) の背当て部(17)が嵌入される凹部(21)の複数個が縦列されており、該凹部(21)の所定の個所には、ビス(22)を螺着するためのビス孔(23)が設けられている。
また、該背当板(14)の前面には、シャワーユニット(3) に取付けられる取付部材(24)を取付けるためのビス挿通孔(25)が設けられている。
【００１１】
そして、アームレスト(4) の高さを調節する場合には、該前枠(13)のアームレスト支持杆(12)の係止ピン(20)を弾性力に抗して押込んで、該アームレスト(4) の前脚部(16)を上方または下方に摺動させ、該アームレスト支持杆(12)の係止ピン(20)を該アームレスト(4) の前脚部(16)の支持杆嵌着部(18)の係止孔(19)のいずれかに嵌合するとともに、該アームレスト(4) の背当て部(17)を該背当板(14)背面の対応する凹部(21)に嵌入してビス(22)で固定することによって、該アームレスト(4) の高さを調節することが出来る。
【００１２】
該一対のコの字枠(7) は、中央の上辺部(26)において互いに交差されており、該交差点においてそれぞれ座部(9) にビス（図示せず）で固定されている。
また、該コの字枠(7) の両端部の前脚(5) と後脚(6) には、それぞれ摺動脚部(27)が上下摺動可能に挿着されており、該摺動脚部(27)の上端部には、該摺動脚部(27)を該前脚(5) または後脚(6) に締付け固定するための締付けリング(28)が取付けられている。従って、該摺動脚部(27)を上下に摺動させ、該締付けリング(28)で締付け固定することによって、該椅子(2) の高さを調節することが出来る。
【００１３】
図１および図２に示すように、シャワーユニット(3) は、縦長楕円形状の本体(29)と、該本体(29)の上端に取付けられている首当て部(30)と、該本体(29)の下端に取付けられている腰当て部(31)と、該本体(29)の上部の両側に取付けられている左右一対のアーム部(32)とからなる。
該アーム部(32)は、該本体(29)の側部に沿わせた収納状態と、前方に開いて差出した使用状態との間で前後回動可能とされている。
該本体(29)の表面側には、四個のシャワーノズル(33)が首振り回動可能に取付けられており、また、該首当て部(30)および該腰当て部(31)には、それぞれ二個のシャワーノズル(33)が首振り回動可能に取付けられており、更に、該アーム部(32)の裏面には、それぞれ四個のシャワーノズル(33)が首振り回動可能に取付けられている。
【００１４】
図６に示すように、該シャワーユニット(3) の本体(29)の裏面中央には、鉤状係止片(34)が差出された取付板(35)が取付けられており、また、該取付板(35)には左右一対のビス孔(39)が設けられている。更に、該シャワーユニット(3) の腰当て部(31)の側部からは操作レバー(36)が差出されており、また、該腰当て部(31)の下端にはシャワーホース(37)の差込口(38)が設けられている。
一方、該シャワーユニット(3) に取付けられる取付部材(24)には、複数個のスリット(40)と複数組の左右一対のビス挿通孔(41)が所定間隔で縦列されており、また、該取付部材(24)の両側面からは左右一対の鉤状係止片(42)が差出されており、更に該取付部材(24)の下部中央にはビス孔(43)が設けられている。
【００１５】
シャワーユニット(3) を椅子(2) に取付ける場合には、まず、シャワーユニット(3) 裏面の取付板(35)の鉤状係止片(34)を取付部材(24)のスリット(40)に差込み係合して位置決めを行ない、該取付部材(24)のビス挿通孔(41)および該シャワーユニット(3) の取付板(35)のビス孔(39)を介して、該シャワーユニット(3) の取付板(35)に該取付部材(24)をビス止め固定する。そして、該シャワーユニット(3) に取付けられた取付部材(24)の鉤状係止片(42)を椅子(2) の背当板(14)の上辺に引掛けて、該椅子(2) の背当板(14)のビス挿通孔(25)および該取付部材(24)のビス孔(43)を介して、該シャワーユニット(3) が取付けられた取付部材(24)を該椅子(2) の背当板(14)にビス止め固定する。
この場合、該取付部材(24)の複数個のスリット(40)と複数組の左右一対のビス挿通孔(41)のうちの一つを選択して、該シャワーユニット(3) の取付板(35)に該取付部材(24)を取付けることによって、該シャワーユニット(3) の上下位置を調節することが出来る。
【００１６】
上記のようなシャワーユニット付き椅子(1) を使用する場合には、該シャワーユニット付き椅子(1) を浴室の所望の場所に設置し、浴室のカランのシャワー経路から分岐したシャワーホース(37)をシャワーユニット(3) の差込口(38)に接続する。そして、シャワーユニット(3) の左右のアームを回動させて側方に広げ、椅子(2) に座って操作レバー(36)を操作して温水を噴出させる。
【００１７】
上記のように、シャワーユニット付き椅子(1) のアームレスト(4) が高さ調節可能とされているので、使用者の体型に合わせて該アームレスト(4) の高さを調節することが出来、そのため、使用者は楽な姿勢でシャワーを浴びることが出来る。
また、シャワーユニット(3) が取付けられる背当板(14)と、座部(9) の両側から立上げられる前枠(13)のアームレスト支持杆(12)とが、アームレスト(4) によって連結されているので、該背当板(14)を支えるＬ字形側枠(11)の背当板支持杆(10)が加重によって撓むことがなく、シャワーユニット(3) のぐらつきを防止することが出来る。
【００１８】
以上、本発明の実施の形態を実施例により説明したが、本発明の範囲はこれらに限定されるものではなく、請求項に記載された範囲内において目的に応じて変更・変形することが可能である。
【産業上の利用可能性】
【００１９】
本発明のシャワーユニット付き椅子は、例えば浴室等で使用されるシャワーユニット付きの椅子として、産業上利用することが出来る。
【図面の簡単な説明】
【００２０】
【図１】シャワーユニット付き椅子（アーム部収納状態）の斜視図である。
【図２】シャワーユニット付き椅子（アーム部使用状態）の斜視図である。
【図３】椅子の斜視図である。
【図４】椅子の側面図である。
【図５】椅子の背面図である。
【図６】シャワーユニットの斜視図である。
【符号の説明】
【００２１】
1     シャワーユニット付き椅子
2     椅子
3     シャワーユニット
4     アームレスト
9     座部
12    アームレスト支持杆
14    背当板
15    肘掛け部
16    前脚部
17    背当て部
18    支持杆嵌着部
19    係止孔
20    係止ピン
21    凹部
【図１】
2005110804.tif 000003
【図２】
2005110804.tif 000004
【図３】
2005110804.tif 000005
【図４】
2005110804.tif 000006
【図５】
2005110804.tif 000007
【図６】
2005110804.tif 000008